(57)【特許請求の範囲】
【請求項１】
アンカー（７）のための通し開口を備える緩衝装置において、該緩衝装置（１）が、設置状態において前記アンカー（７）を包囲するエラストマースリーブ（２）を備え、該アンカー（７）により前記エラストマースリーブ（２）を軸方向で締め付けると、前記エラストマースリーブ（２）が、圧迫されて、前記緩衝装置（１）の、前記アンカー（７）を包囲する中空室を完全に充填し、内周においても外周においても遊びなしになることを特徴とする、緩衝装置。
【請求項２】
前記エラストマースリーブ（２）が孔付きディスク（１８）を一端面に備える、請求項１記載の緩衝装置。
【請求項３】
前記緩衝装置（１）がアダプタスリーブ（３）を備え、該アダプタスリーブ（３）内に前記エラストマースリーブ（２）が設置状態において収容されている、請求項１記載の緩衝装置。
【請求項４】
前記エラストマースリーブ（２）がコーン部（１７）を備える、請求項１記載の緩衝装置。
【請求項５】
前記緩衝装置（１）がホローコーン部（４）を備え、該ホローコーン部（４）内に、前記エラストマースリーブ（２）が、設置状態において収容されており、軸方向で締め付けられている際には、遊びなしに埋設されている、請求項１記載の緩衝装置。
【請求項６】
前記ホローコーン部（４）が、前記エラストマースリーブ（２）の挿入方向で先細りしている、請求項５記載の緩衝装置。
【請求項７】
前記緩衝装置（１）がアダプタスリーブ（３）を備え、該アダプタスリーブ（３）が前記ホローコーン部（４）を備え、該ホローコーン部（４）内に前記エラストマースリーブ（２）が設置状態において収容されている、請求項５記載の緩衝装置。
【請求項８】
前記ホローコーン部（４）がアンカー基礎（９）に向かって先細りしている、請求項７記載の緩衝装置。
【請求項９】
前記アダプタスリーブ（３）が、孔（１２）内への挿入時の同軸的な心合わせのための面取り部（２１）を備える、請求項７記載の緩衝装置。
【請求項１０】
前記緩衝装置（１）が、塑性変形可能なエレメント（１８；２０）を備え、該塑性変形可能なエレメント（１８；２０）が、設置状態において半径方向で前記アンカー（７）に固定可能である、請求項１記載の緩衝装置。
【発明の詳細な説明】
【技術分野】
【０００１】
本発明は、請求項１の上位概念部に記載の緩衝装置、すなわち、アンカーのための通し開口を備える緩衝装置に関する。緩衝装置は、アンカーを用いてアンカー基礎に部材を固定するために用いられる。部材は、一般に「固定対象物」とも呼ばれ、例えば１つのアンカーに設置するための１つの孔又は複数のアンカーに設置するための複数の孔を有している。アンカー基礎は、例えば壁材、コンクリート、岩又は石からなる。このような固定のために使用されるアンカーは、一般に棒状であり、アンカー固定された状態でアンカー基礎から突出し、以下、後端とも呼ぶ一端にか、又は全長にわたってねじ山を有している。アンカーに部材を設置した後、部材は、ナットをアンカーのねじ山に螺合させて締めることにより、アンカー基礎に対して締め付けられる。アンカー固定、つまり、アンカー基礎内でのアンカーの固定は、一般に機械的又は化学的に実施される。機械的なアンカー固定は、アンダカットを有しないか、又はアンダカットを有する、一般に穴あけにより製作される孔内での、拡開スリーブ又は拡張栓の拡開により実施される。化学的なアンカー固定は、アンカー基礎に設けられた孔内でのアンカーの接着又はモルタル固定による素材結合（Ｓｔｏｆｆｓｃｈｌｕｓｓ）式のアンカー固定である。
【０００２】
アンカー基礎に対して締め付けられた部材は、アンカーに対して横方向、すなわちアンカー基礎の表面に対して平行に、摩擦力結合（Ｒｅｉｂｓｃｈｌｕｓｓ）によりアンカー基礎に保持されている。本明細書では過負荷とも呼ぶ高い負荷時に初めて、部材は、摩擦力を上回って、アンカー基礎上を移動する。このような過負荷は、例えば地震の際に発生する。緩衝装置は、アンカー基礎上での部材の移動のために必要な力を増大させることができる。しかし、その本来の目的又はいずれにしても１つの目的は、過負荷の際に、アンカー基礎上での部材の（制限された）移動を可能とすると同時に、この移動に抗する作用を及ぼすことによって、アンカー及び部材に作用する負荷を軽減させることである。例えば、地震の際に発生し得るような部材の衝撃負荷は軽減される。
【０００３】
ドイツ連邦共和国特許出願公開第１０１３４８０９号明細書において、摩擦力増大器としてのワッシャが公知である。この公知のワッシャは、ディスクから突出する、例えばコランダム又は硬質金属等の硬質の材料からなる角張った粒子を含んでいる。ワッシャは、アンカー基礎と、固定したい部材との間で、アンカー基礎内にアンカー固定されアンカー基礎から突出した棒状のアンカーに設置され、部材は、アンカー基礎に対して締め付けられる。ワッシャから突出した粒子は、アンカー基礎に対して部材を締め付ける際に、アンカー基礎及び部材の、向かい合った表面内に押し込まれ、部材とアンカー基礎との間の摩擦を高める。ワッシャは、部材とアンカー基礎との間の、向かい合った表面に対して平行な、つまり、アンカーに対して横方向あるいは半径方向での力伝達を大きくする。これにより、アンカーの横方向負荷は軽減される。しかし、アンカー基礎に作用する衝撃は、強さが軽減されることなく、固定された部材に伝達される。
【０００４】
ドイツ連邦共和国特許出願公開第３３３１０９７号明細書は、皿ばねセットをアンカーに設置することを開示している。皿ばねセットを介して、アンカーは、固定したい部材をアンカー基礎に対して締め付ける。皿ばねは、アンカーにより加えられるプリロードを弛緩時に維持すべきである。
【０００５】
ドイツ連邦共和国特許出願公開第１０１０６８４４号明細書は、比較可能な装置を開示している。この公知の装置でも、皿ばねセットがアンカーに設置される。皿ばねセットは、ケージ内に収容されており、ケージは、ケージがアンカーの設置及び付勢時に開放されるまで皿ばねを保持する。その後、皿ばねは、解放されて、固定したい部材をアンカー基礎に対して締め付ける。
【０００６】
ドイツ連邦共和国特許出願公開第１９６２５１７６号明細書は、環状の弾性的なエレメントを備える化学的なアンカー固定を開示している。この弾性的なエレメントは、アンカーロッドの前端に配置されている。弾性的なエレメントは、孔底の近傍において化学的なアンカー固定のモルタルの下に存在する。弾性的なエレメントは、アンカーの軸方向で弾発して、弛緩時のプリロードの消失に抗して働き、動的な負荷時のアンカーの軸方向負荷を軽減する。
【０００７】
本発明の課題は、ショック状の横方向負荷、例えば地震の際に発生し得るような横方向負荷を緩衝する、アンカー基礎にアンカーを用いて部材を固定するための緩衝装置を提案することである。
【０００８】
この課題は、本発明により、請求項１記載の特徴、すなわち、アンカーのための通し開口を備える緩衝装置において、該緩衝装置が、設置状態において前記アンカーを包囲するエラストマースリーブを備え、該アンカーにより前記エラストマースリーブを軸方向で締め付けると、前記エラストマースリーブが、圧迫されて、内周においても外周においても遊びなしになることを特徴とする緩衝装置により解決される。また、好ましくは、前記エラストマースリーブが孔付きディスクを一端面に備える。好ましくは、前記緩衝装置がアダプタスリーブを備え、該アダプタスリーブ内に前記エラストマースリーブが設置状態において収容されている。好ましくは、前記エラストマースリーブがコーン部を備える。好ましくは、前記緩衝装置がホローコーン部を備え、該ホローコーン部内に、前記エラストマースリーブが、設置状態において収容されており、軸方向で締め付けられている際には、遊びなしに埋設されている。好ましくは、前記ホローコーン部が、前記エラストマースリーブの挿入方向で先細りしている。好ましくは、前記緩衝装置がアダプタスリーブを備え、該アダプタスリーブが前記ホローコーン部を備え、該ホローコーン部内に前記エラストマースリーブが設置状態において収容されている。好ましくは、前記ホローコーン部がアンカー基礎に向かって先細りしている。好ましくは、前記アダプタスリーブが、孔内への挿入時の同軸的な心合わせのための面取り部を備える。好ましくは、前記緩衝装置が、塑性変形可能なエレメントを備え、該塑性変形可能なエレメントが、設置状態において半径方向で前記アンカーに固定可能である。本発明に係る緩衝装置は、アンカーのための通し開口を有している。緩衝装置は、例えばリング状又はスリーブ状である。緩衝装置は、設置状態においてアンカーを包囲するエラストマースリーブを有している。エラストマースリーブは、弾性的であるか、又はいずれにしても大部分弾性的である。エラストマースリーブの、場合によっては付加的な塑性特性は、緩衝作用をさらに改善可能である。エラストマースリーブの塑性変形した成分は、再度の負荷時に、もはや緩衝に寄与しない。エラストマースリーブは、アンカー基礎に部材を固定する際に、特に、例えばアンカーのねじ山にナットを螺合させて締めることで、アンカー基礎に対して部材を締め付けることにより、軸方向で圧迫され、これにより、半径方向内向き及び外向きに膨張する。しかし、エラストマースリーブは、アンカー及び部材とは独立的に、軸方向で圧迫可能であってもよい。特に、エラストマースリーブは、固定される部材又は緩衝装置のアダプタスリーブ若しくはこれに類するものに設けられた孔内でアンカーを包囲する環状の中空室を遊びなしに充填する。特に、少なくとも略非圧縮性と仮定可能なエラストマースリーブの体積は、アンカーを包囲する環状の中空室の容積と略同じ大きさであるか、又はそれよりも大きい。緩衝装置のエラストマースリーブは、軸方向の締め付け後、内面でアンカーに遊びなしに当接し、外面においても遊びなしに当接する。軸方向の締め付け後、エラストマースリーブが遊びを有しないことは、空ストロークなしの緩衝の利点を有する。緩衝は、アンカーに対して横方向あるいは半径方向に、すなわち、アンカー基礎及びこのアンカー基礎に固定される部材の、向かい合った表面に対して平行に作用する。発明の別の利点は、軸方向の締め付け及び圧迫の際の、部材に対するエラストマースリーブのセンタリング作用である。
【０００９】
本発明の一態様では、孔付きディスクがエラストマースリーブの一端面に設けられている。孔付きディスクは、端面の外側にあって、孔付きディスクの表面で端面を形成している必要はなく、端面の近傍に配置されていれば十分である。孔付きディスクは、エラストマースリーブのための支持面を形成している。孔付きディスクは、例えば、アンカーがアンカー固定されている孔が、欠損クレータを孔の開口部に有している場合に有利である。孔付きディスクは、エラストマースリーブが欠損クレータ内に押し込まれてしまうことを防止する。孔付きディスクは、塑性変形可能であって、付加的な機能を有していてよい。固定された部材がアンカー基礎上で移動したときに、孔付きディスクは、孔付きディスクの内周及び外周にある遊びを超えた後、横方向力をアンカーに逃がす。その際、孔付きディスクの中心孔は、長孔に変形する。これにより、アンカー基礎に対する部材の移動は、緩衝される。塑性変形の際に、緩衝作用は、一方向での最初の移動時にのみ存在する。同じ方向での再度の移動の際には、孔付きディスクは、移動が最初の移動を越える場合にのみ、緩衝する。他方向での移動の際にも緩衝作用は存在する。
【００１０】
本発明の一態様では、エラストマースリーブがコーン部を有している。コーン部は、エラストマースリーブの全長にわたって又はその一部にわたって延在していてよい。コーン部は、特に、圧迫時のエラストマースリーブの変形を改善し、例えばエラストマースリーブの材料が、アンカー基礎とは反対側の表面において隆起状に外方に押し遣られて挟まれることを防止すべきである。コーン部は、導入補助手段として用いられてもよい。ただし、この場合、コーン部は、エラストマースリーブの他方の端面に設けられていなければならない。
【００１１】
本発明の一態様では、ホローコーン部が設けられており、ホローコーン部内には、エラストマースリーブが、設置状態において収容されており、軸方向の締め付け及び圧迫後には遊びなしに埋設されている。エラストマースリーブのコーン部と同様に、ホローコーン部も、圧迫時のエラストマースリーブの変形を改善するという目的を有している。コーン部及びホローコーン部は、両方が設けられていても、それぞれ片方が設けられていてもよい。
【００１２】
本発明の一態様では、ホローコーン部が、エラストマースリーブを緩衝装置の組立の際にホローコーン部に挿入する方向で先細りしている。これにより、ホローコーン部へのエラストマースリーブの挿入は容易となっている。
【００１３】
ホローコーン部は、固定したい部材に設けられていてよい。例えば部材は、錐形の貫通孔を有していてよい。一態様では、ホローコーン部を備えるアダプタスリーブが設けられている。ホローコーン部を有していても、アダプタスリーブは、弾性変形可能であり、横方向力をアンカーに逃がし、かつ緩衝に寄与することができる。
【００１４】
本発明の一態様では、エラストマースリーブを収容するためのアダプタスリーブが設けられている。アダプタスリーブは、エラストマースリーブのためのソケット又はハウジングを形成しており、有利には中央孔を備える底を有している。この中央孔を備える底は、上述の孔付きディスクの代役を果たしている。アダプタスリーブは、底を備える場合、固定したい部材の厚さより短くてよい。この場合、アダプタスリーブ及び緩衝装置全体は、アンカー基礎上に載っていないので、摩擦は、部材からアンカー基礎に伝達されるだけで、その一部が緩衝装置からアンカー基礎に伝達されることはない。アダプタスリーブが存在する場合、アダプタスリーブの底は、エラストマースリーブを、アンカー基礎に面した端面において軸方向で支持しており、その結果、エラストマースリーブは、軸方向の締め付け及び圧迫の際に、例えばアンカー基礎内の、アンカーが固定されている孔の開口部にある欠損クレータ内に押し遣られない。横方向力の逃がしと、塑性変形の際に塑性変形に由来する緩衝とが、本発明のこの態様において可能である。
【００１５】
本発明の一態様では、アダプタスリーブのホローコーン部が、アンカー基礎に向かって先細りしている。これにより、アダプタスリーブは、アンカー基礎の近傍において、アンカー基礎から間隔を置いたところよりも、アンカーに対して小さなスペースを有している。これにより、アダプタスリーブからアンカーへの横方向力の逃がしは、アンカーが横方向力に抗して支持されているアンカー基礎の近傍において行われる。これにより、横方向負荷の際にアダプタスリーブに作用する傾倒モーメントは小さい。
【００１６】
本発明の一態様では、面取り部、つまりコーン部がアダプタスリーブに設けられている。面取り部は、アダプタスリーブ、ひいては緩衝装置を、固定したい部材に設けられた孔内への挿入の際に孔に対して配向し、これにより孔内への進入を容易にする。
【００１７】
本発明の一態様では、塑性変形可能なエレメントが設けられている。塑性変形可能なエレメントは、設置状態において半径方向でアンカーに固定されている。遊びが、アンカーと塑性変形可能なエレメントとの間にあってもよい。塑性変形可能なエレメントは、例えば、既に説明した孔付きディスク、又はアンカーのための通し開口を形成する孔を備えるアダプタスリーブの底であってよい。塑性変形可能なエレメントの形態及び形状は、上述の両例に限定されるものではない。遊びを克服した後の緩衝の機能については、既に説明した通りである。
【００１８】
以下に、本発明について図面に示した実施の形態を参照しながら詳細に説明する。
【図面の簡単な説明】
【００１９】
【図１】本発明に係る緩衝装置の第１の実施の形態の軸方向断面図である。
【図２】設置状態にある図１の緩衝装置を示す図である。
【図３】設置状態にある本発明に係る緩衝装置の第２の実施の形態を示す図である。
【図４】設置中の本発明に係る緩衝装置の第３の実施の形態を示す図である。
【図５】設置状態にある図４の緩衝装置を示す図である。
【図６】設置中の本発明に係る緩衝装置の第４の実施の形態を示す図である。
【図７】設置状態にある図６の緩衝装置を示す図である。
【００２０】
図１に示した本発明に係る緩衝装置１は、管状のエラストマースリーブ２と、例えば鋼又はプラスチックからなるアダプタスリーブ３とを有している。アダプタスリーブ３も管状である。アダプタスリーブの外面は柱面状であり、内面はホローコーン状である。ホローコーン部４は、軸方向で貫通している。アダプタスリーブ３は、ホローコーン部４の大径側に、外向きに張り出したフランジ５を有している。エラストマースリーブ２の、軸方向で貫通した内孔６と、アダプタスリーブ３の、やはり貫通したホローコーン部４とは、棒状のアンカー７のための通し開口を形成している。アンカー７は、図２に示されている。エラストマースリーブ２の外径は、ホローコーン部４の平均直径と略同じ大きさであり、かつエラストマースリーブ２は、軸方向でアダプタスリーブ３よりも長い。エラストマースリーブ２は、弾性変形可能、いずれにしても大部分弾性変形可能であり、かつ少なくとも略非圧縮性と見なされてよい。エラストマースリーブ２は、エラストマースリーブ２がアダプタスリーブ３のホローコーン部４内に押し込まれるか、あるいは圧入されると、エラストマースリーブ２の体積が、アンカー７をアダプタスリーブ３内において包囲する中空室を完全に充填し、かつアンカー７のねじピッチ内に侵入するように寸法設定されている。
【００２１】
図２は、緩衝装置１を用いてアンカー７によりアンカー基礎９に部材８を固定した状態を示している。部材８、アンカー基礎９、アンカー７及び緩衝装置１は、相俟って１つの固定装置を形成している。アンカー７は、拡開可能な拡開スリーブ１０を備える拡開アンカーであり、アンカー基礎９に設けられた孔１１内に挿入され、孔１１内でのアンカー固定のために拡開されている。アンカー７は、アンカー基礎９から突出している。部材８は、貫通孔１２を有している。貫通孔１２の直径は、緩衝装置１のアダプタスリーブ３の直径に等しい。部材８は貫通孔１２でもって、アンカー７の、アンカー基礎９から突出した部分に設置されており、緩衝装置１はアダプタスリーブ３でもって、やはり、部材８の貫通孔１２内に挿入されるとともに、アンカー７に設置されている。アダプタスリーブ３のフランジ５は、部材８の、アンカー基礎９とは反対側の表面に載置されている。この表面を外面１３と言う。緩衝装置１に続いて、ワッシャ１４がアンカー７に設置されており、ナット１５がアンカー７のねじ山１６に螺合されている。ナット１５は、ワッシャ１４及びアダプタスリーブ３のフランジ５を介して、部材８をアンカー基礎９に対して締め付ける。同時に、ナット１５は、ワッシャ１４を介してエラストマースリーブ２を、アンカー７をアダプタスリーブ３内において包囲する中空室内に押し込む。その際、少なくとも略非圧縮性と仮定し得るエラストマースリーブ２は、弾性変形して、外方においてはアダプタスリーブ３のホローコーン部４に適合し、内方においてはアンカー７のねじ山１６に適合する。エラストマースリーブ２は、ねじ山１６のピッチ内に侵入する。ワッシャ１４がアダプタスリーブ３のフランジ５に当接したとき、エラストマースリーブ２は、アンカー７をアダプタスリーブ３内において包囲する中空室を完全に、有利には所定のプリロードをともなって充填している。ホローコーン部４により、エラストマースリーブ２は、問題なくアダプタスリーブ３内に侵入可能であり、アンカー７における部材８のセンタリングを実施する。部材８は、遊びなしにアンカー７に固定されている。
【００２２】
択一的には、ワッシャ１４は、アダプタスリーブ３に螺合可能な袋ナット又はこれに類するものとして形成されていてもよい。このために、アダプタスリーブ３は、フランジ５に雄ねじ山を有していてもよい。これにより、エラストマースリーブ２は、アンカー７の拡開とは独立して、軸方向で締め付け可能であり、緩衝装置１は、それ自体で締め付け可能である。このことは、相応に、後述する第４の実施の形態にも当てはまる。
【００２３】
アンカー基礎９に対して締め付けられた部材８は、摩擦により移動に抗してアンカー基礎９に保持されている。部材８とアンカー基礎９との間の摩擦が、例えば地震の際に発生し得る高い負荷時に上回られると、部材８は、アンカー基礎９に対して移動する。この移動のために、エラストマースリーブ２は変形しなければならない。これにより、アンカー基礎９に対する部材８の移動は緩衝される。
【００２４】
図２と比較して、図３に示した本発明の実施の形態では、アダプタスリーブ３が省略されている。部材８の貫通孔１２は、錐形であり、緩衝装置１のホローコーン部４あるいはエラストマースリーブ２のためのホローコーン部４を形成している。図２について説明したように、部材８は、アンカー７の、アンカー基礎９から突出した部分に設置されており、エラストマースリーブ２も、アンカー７に設置されるとともに、部材８の錐形の貫通孔１２内に挿入されている。アンカー７のねじ山１２に螺合されるナット１５によって、エラストマースリーブ２は、ワッシャ１４を介して貫通孔１２内に押し込まれ、その際に、外側ではホローコーン部４に当接し、内側ではねじ山１６に当接してねじ山１６に合わせて変形される。ワッシャ１４を介してナット１５は、部材８をアンカー基礎９に対して締め付ける。アンカー基礎９に対する部材８の移動の際には、エラストマースリーブ２は、変形して、アンカー基礎９に対する部材８の移動を緩衝する。
【００２５】
図４に示した本発明の実施の形態でも、緩衝装置１はアダプタスリーブを有しておらず、エラストマースリーブ２は、固定したい部材８に設けられた貫通孔１２内に直接挿入されている。図４において、部材８の貫通孔１２は、図２と同様に柱面状である。エラストマースリーブ２は、同様に管状であるが、アンカー基礎９とは反対側の端部にコーン部１７を有している。このエラストマースリーブ２は、コーン部１７の一部が部材８の貫通孔１２から突出するような長さを有している。他方の、アンカー基礎９側の端部に、エラストマースリーブ２は、孔付きディスク１８を有している。孔付きディスク１８は、塑性変形可能な材料からなっており、鋼若しくはその他の金属又はプラスチックからなっていてよい。この列挙は限定列挙ではない。
【００２６】
アンカー７のねじ山１６にナット１５を螺合させて締めることにより、エラストマースリーブ２は、部材８に設けられた貫通孔１２内に押し込まれるか、あるいは圧入され、外方においては孔壁に適合し、内方においてはねじ山１６に適合する。エラストマースリーブ２は、ねじ山１６のピッチ内に入り込むように変形する。本実施の形態でも、エラストマースリーブ２は、アンカー７を貫通孔１２内において包囲する中空室を完全に充填する。孔付きディスク１８がエラストマースリーブ２を軸方向で支持しているので、エラストマースリーブ２が、例えば、アンカー７が固定されている孔１１の開口部の欠損クレータ１９内に侵入するように変形することはない。エラストマースリーブ２の孔付きディスク１８は、エラストマースリーブ２の変形のために利用可能な容積を制限する。その結果、エラストマースリーブ２は、ナット１５の締め付け後、所定の通りに、利用可能な容積を遊びなしに外方及び内方に充填する。アンカー基礎９に対する部材８の移動時、エラストマースリーブ２は、変形して、移動を緩衝する。この移動が、孔付きディスク１８の、アンカー７上の遊び及び部材８の貫通孔１２内の遊びより大きいと、孔付きディスク１８も変形する。緩衝装置１の緩衝作用は、これにより増大する。孔付きディスク１８の変形は塑性、いずれにしても大部分塑性である。その結果、孔付きディスク１８の中心孔は、長孔に変形する。孔付きディスク１８の緩衝作用は、そのために、一方向でのアンカー基礎９に対する部材８の移動の際に１回限り提供されている。
【００２７】
図６に示した本発明に係る緩衝装置１は、図２と同様に、アダプタスリーブ３を有している。アダプタスリーブ３内には、エラストマースリーブ２が収容されている。図２とは異なり、図６のアダプタスリーブ３は、内面において錐形でなく、柱面状である。アダプタスリーブ３は、中心孔を備える底２０を有している。底２０は、機能及び作用に関して、図４及び図５に示した孔付きディスク１８と比較可能である。図６に示したアダプタスリーブ３又はいずれにしてもアダプタスリーブ３の底２０は、塑性変形可能である。図４と同様に、エラストマースリーブ２はコーン部１７を有している。このコーン部１７は、未変形の状態で部分的にアダプタスリーブ３から突出している。アダプタスリーブ３は、固定したい部材８の貫通孔１２内への挿入のための面取り部２１を有している。アダプタスリーブ３は、軸方向で部材８の厚さより短いため、アダプタスリーブ３は、アンカー基礎９に載置されず、部材８だけがアンカー基礎９に対して締め付けられる。ナット１５を締めることにより、エラストマースリーブ２は、アダプタスリーブ３内の、アンカー７を包囲する中空室内に侵入するように変形し（図７）、かつアンカー基礎９に対する部材８の移動を緩衝する。これについては繰り返し説明した通りである。移動量が、アンカー７の、アダプタスリーブ３の底２０の中心孔内の遊びより大きいと、底２０は、塑性変形して、移動を付加的に緩衝する。これについては、図４及び図５に示した孔付きディスク１８を参照しながら説明した通りである。
【００２８】
図４及び図５に示した孔付きディスク１８及び図６及び図７に示したアダプタスリーブ３の底２０と同様に、図２に示したアダプタスリーブ３も、アンカー基礎９に対する部材８の相応に大きな移動の際に、緩衝装置１の緩衝作用を増大させるために、塑性変形可能であってもよい。
【符号の説明】
【００２９】
１  緩衝装置
２  エラストマースリーブ
３  アダプタスリーブ
４  ホローコーン部
５  フランジ
６  貫通孔
７  アンカー
８  部材
９  アンカー基礎
１０  拡開スリーブ
１１  孔
１２  貫通孔
１３  外面
１４  ワッシャ
１５  ナット
１６  ねじ山
１７  コーン部
１８  孔付きディスク
１９  欠損クレータ
２０  底
２１  面取り部
【図１】
0005602758.tif 000002
【図２】
0005602758.tif 000003
【図３】
0005602758.tif 000004
【図４】
0005602758.tif 000005
【図５】
0005602758.tif 000006
【図６】
0005602758.tif 000007
【図７】
0005602758.tif 000008